(57)【要約】【課題】複数の建造物毎に監視対象情報を伝送するための伝送路用ケーブルを、建造物の近傍に位置する配電機器まで配線することなく、監視対象情報を建造物外で一括または集中して監視できるようにした集中監視システムを提供することにある。【解決手段】複数の建造物１毎に建造物全体に対して得られた監視対象情報を一括または集中して監視できるようにした上位系監視装置を建造物外に備え、上位系監視装置４と伝送路５を介して下位系監視装置３が接続されている集中監視システムに対し、下位系監視装置は、無線ＬＡＮアクセスポイント３Ｂ及び無線ＬＡＮ端末装置３Ａからなり、無線ＬＡＮアクセスポイントを、建造物の近傍に位置する配電機器１３内、または、その近傍に設ける。無線ＬＡＮ端末装置を、建造物毎の引込盤１５Ａ，１５Ｂ，１５Ｃ内に設ける。【選択図】図２
2007011675.tif 000002
【特許請求の範囲】
【請求項１】
前記建造物内の各箇所で得られた監視対象情報を一括または集中して監視できるようにした上位系監視装置を前記建造物外に備え、
前記上位系監視装置と伝送路を介して下位系監視装置が接続されている集中監視システムにおいて、
前記下位系監視装置は、無線ＬＡＮアクセスポイント及び無線ＬＡＮ端末装置からなり、
前記無線ＬＡＮアクセスポイントは、建造物の近傍に位置する配電機器内、または、その近傍に設けられ、
前記無線ＬＡＮ端末装置は、建造物内に設けられ、
前記伝送路は、上位系監視装置から配電機器まで敷設されている集中監視システム。
【請求項２】
複数の建造物毎に前記建造物全体に対して得られた監視対象情報を一括または集中して監視できるようにした上位系監視装置を前記建造物外に備え、
前記上位系監視装置と伝送路を介して下位系監視装置が接続されている集中監視システムにおいて、
前記下位系監視装置は、無線ＬＡＮアクセスポイント及び無線ＬＡＮ端末装置からなり、
前記無線ＬＡＮアクセスポイントは、建造物の近傍に位置する配電機器内、または、その近傍に設けられ、
前記無線ＬＡＮ端末装置は、建造物毎に設けられている集中監視システム。
【請求項３】
前記無線ＬＡＮ端末装置は、前記建造物毎に設けられている引込盤内、または、その近傍に設けられている請求項２に記載の集中監視システム。
【請求項４】
建造物内の各箇所で得られた監視対象情報を一括または集中して監視できるようにした上位系監視装置を前記建造物内に備えた集中監視システムにおいて、
前記上位系監視装置は、無線ＬＡＮアクセスポイントからなり、
前記下位系監視装置は、無線ＬＡＮ端末装置からなり、
前記無線ＬＡＮアクセスポイントは、建造物の監視室内に設けられ、
前記無線ＬＡＮ端末装置は、前記建造物内の前記監視室外に設けられている集中監視システム。
【発明の詳細な説明】
【技術分野】
【０００１】
本発明は、工場、ビル等のような建造物内の使用電力量、地絡、漏洩電流等の監視対象情報を上記建造物外または建造物内で一括または集中して監視できる集中監視システムに関するものである。
【背景技術】
【０００２】
工場、ビル等のような比較的大規模の建造物には受配電変圧器を収容した電気室が設けられており、ここから建造物内に設けられら分電盤または配電盤を介して各設備または各階へ、動力、電灯等の各負荷に電力供給を行っている。電力使用者は監視対象情報として、例えば、各負荷の使用電力量を監視する必要があるために、各負荷に対応して設けられた電力量計を、特許文献１に示されるように、一箇所に集中する場合が多い。この場合、一括または集中された監視対象情報は、例えば、電気室で監視されることになる。
【０００３】
また、上記のように一括または集中された監視対象情報を、上記建造物内ではなく建造物外で一括または集中して監視する必要がある場合がある。例えば、特許文献２に示される監視システムでは、監視対象情報を収集した下位系監視装置（変電所監視装置）からデータ伝送路を介して上位系監視装置で監視対象情報が監視されるようになっている。
【０００４】
一方、電力会社の配電系統には、種々の目的のために、電力会社が管轄する中央制御装置から柱上変圧器、地上設置型変圧器装置等の配電機器までの間及び各配電機器間を同軸ケーブル、光ケーブル等からなる伝送用ケーブルがネットワーク状に敷設されている。
【０００５】
図４は従来の集中監視システムを示すブロック図である。従来では、電力会社が管轄するデータ伝送路を利用して上記建造物の監視対象情報を、建造物外に位置する電力会社が管轄する上位系監視装置（中央制御装置）で一括または集中して監視できるようにし、また、使用電力量としている。図示するように、建造物１の電気室２には下位系監視装置３００が設けられており、この下位系監視装置３００と電力会社が管轄する上位系監視装置（中央制御装置）４とはデータ伝送路５を介して接続されている。
【０００６】
データ伝送路５は、電力会社が管轄するデータ伝送路５Ａ及び電力使用者側が管轄するデータ伝送路５Ｂからなり、データ伝送路５Ａは上位系監視装置４から柱上変圧器、地上設置型変圧器装置等の配電機器１３まで、データ伝送路５Ｂはこの配電機器１３から建造物１までとする。なお、データ伝送路５は同軸ケーブルとしている。
【０００７】
建造物１が比較的大規模の場合、電気室２が設けられており、電気室２に収容されている受配電変圧器６には、建造物１内に配線された電力線７が接続されている。電力線７は、例えば、３つの配電盤または分電盤８ａ，８ｂ，８ｃにそれぞれ接続されるように分岐され、分岐した分岐線７ａ，７ｂ，７ｃに配電盤または分電盤８ａ，８ｂ，８ｃを介して負荷９ａ，９ｂ，９ｃがそれぞれ接続されている。
【０００８】
電気室２には、負荷９ａ，９ｂ，９ｃに対応して設けられた電力量計１０ａ，１０ｂ，１０ｃが収容されている。各電力量計１０ａ，１０ｂ，１０ｃには、監視対象情報（使用電力量）の元情報として、変圧器６の二次側電圧がそれぞれ入力されている。また、例えば、配電盤または分電盤８ａ，８ｂ，８ｃ内にそれぞれ設けられた監視対象情報（使用電力量）の元情報を得るセンサーとして、変流器１１ａ，１１ｂ，１１ｃにより検出される負荷電流がそれぞれのケーブル１２ａ，１２ｂ，１２ｃを介して入力されている。
【０００９】
下位系監視装置３００は下位系データ収集部３００ａと下位系データ処理部３００ｂと下位系通信部３００ｃとを備え、上位系監視装置４からの一定周期のポーリング信号を受信すると、下位系データ収集部３００ａでは各電力量計１０ａ，１０ｂ，１０ｃ，１０ｄにより得られた監視対象情報（使用電力量）を収集し、下位系データ処理部３ｂでは収集された監視対象情報（使用電力量）を伝送信号に変換し、下位系通信部３００ｃでは変換された伝送信号をデータ伝送路５に送出する。なお、下位系通信部３００ｃにはデータ伝送路５Ｂと接続するための図示しない伝送インターフェースが組み込まれている。
【００１０】
上位系監視装置４は、上位系通信部４ａと上位系データ処理部４ｂと表示部４ｃとを備え、上位系通信部４ａでは下位系監視装置３から送信された伝送信号を受信し、上位系データ処理部４ｂでは受信した伝送信号を監視対象情報に変換し、表示部４ｃでは変換された監視対象情報をモニタ等に表示する。なお、上位系監視装置４は、監視対象情報の解析も行う。なお、上位系通信部４ａにはデータ伝送路５Ａと接続するための伝送インターフェースが組み込まれている。
【００１１】
この例では、各負荷９ａ，９ｂ，９ｃを接続している分岐線７ａ，７ｂ，７ｃの電圧値と電力線７の電圧値とを同じとしているので、変圧器２の二次側に配線された電力線７の接続箇所から各電力量計１０ａ，１０ｂ，１０ｃまで、電圧検出線７１が引き出され、その電圧検出線７１の電圧がそれぞれ入力されている。したがって、変流器１１ａ，１１ｂ，１１ｃにより検出される電流のみがケーブル１２ａ，１２ｂ，１２ｃを介してそれぞれ入力されている。
【特許文献１】特開２００３−２２２６４５号公報（図７）
【特許文献２】特開平１０−２５７６７３号公報（図１）
【発明の開示】
【発明が解決しようとする課題】
【００１２】
このようなシステムを構築する場合、上記建造物内の各箇所で得られる監視対象情報を一括または集中して監視する場合、監視対象情報の被測定箇所が多く、また、点在することになれば、測定用ケーブル等の資材費がアップし、また、このケーブルの敷設作業が煩雑になるという問題がある。特に、負荷の増加に伴って監視対象情報を増加させる場合、測定用ケーブルの敷設作業がさらに煩雑になるという問題がある。
【００１３】
また、ある地域内に上記建造物が複数建てられ、建造物毎に建造物全体に対して得られた監視対象情報を一括または集中して監視する場合、建造物が多く、また、点在することになれば、伝送路用ケーブル等の資材費がアップし、また、このケーブルの敷設作業が煩雑になるという問題がある。特に、建造物を増加させる場合、伝送路用ケーブルの敷設作業がさらに煩雑になるという問題が生じる。
【００１４】
本発明の目的は、建造物内の各箇所で得られた監視対象情報を一括または集中させるための測定用ケーブルを建造物内に配線することなく、監視対象情報を建造物内または外で一括または集中して監視できるようにした集中監視システムを提供することにある。
【００１５】
本発明の他の目的は、複数の建造物毎に監視対象情報を伝送するための伝送路用ケーブルを、建造物の近傍に位置する配電機器まで配線することなく、監視対象情報を建造物外で一括または集中して監視できるようにした集中監視システムを提供することにある。
【課題を解決するための手段】
【００１６】
請求項１に記載の発明は、建造物内の各箇所で得られた監視対象情報を一括または集中して監視できるようにした上位系監視装置を建造物外に備え、上位系監視装置と伝送路を介して下位系監視装置が接続されている集中監視システムを対象とし、下位系監視装置は、無線ＬＡＮアクセスポイント及び無線ＬＡＮ端末装置からなり、無線ＬＡＮアクセスポイントは、建造物の近傍に位置する配電機器内、または、その近傍に設けられ、無線ＬＡＮ端末装置は、建造物内に設けられ、伝送路は、上位系監視装置から配電機器まで敷設されるようにしたものである。
【００１７】
請求項２に記載の発明は、複数の建造物毎に建造物全体に対して得られた監視対象情報を一括または集中して監視できるようにした上位系監視装置を前記建造物外に備え、上位系監視装置と伝送路を介して下位系監視装置が接続されている集中監視システムを対象とし、下位系監視装置は、無線ＬＡＮアクセスポイント及び無線ＬＡＮ端末装置からなり、無線ＬＡＮアクセスポイントは、建造物の近傍に位置する配電機器内、または、その近傍に設けられ、無線ＬＡＮ端末装置は、建造物毎に設けられるようにしたものである。
【００１８】
請求項３に記載の発明は、無線ＬＡＮ端末装置が建造物毎に設けられている引込盤内、または、その近傍に設けられるようしたものである。
【００１９】
請求項４に記載の発明は、建造物内の各箇所で得られた監視対象情報を一括または集中して監視できるようにした上位系監視装置を建造物内に備えた集中監視システムを対象とし、上位系監視装置は、無線ＬＡＮアクセスポイントからなり、下位系監視装置は、無線ＬＡＮ端末装置からなり、無線ＬＡＮアクセスポイントは、建造物の監視室内に設けられ、無線ＬＡＮ端末装置は、建造物内の前記監視室外に設けられるようしたものである
【発明の効果】
【００２０】
以上のように、請求項１及び４に記載した発明によれば、建造物内の各箇所で得られる監視対象情報を一括または集中して監視する場合、監視対象情報の被測定箇所が多く、また、点在しても、測定用ケーブル等の資材費を無なくし、また、このケーブルの敷設作業も無くすことができる。特に、負荷の増加に伴って監視対象情報を増加させる場合であっても、測定用ケーブルの敷設作業を無くすことができる。
【００２１】
請求項２に記載した発明によれば、建造物毎に建造物全体に対して得られた監視対象情報を一括または集中して監視する場合、建造物が多く、また、点在しても、伝送路用ケーブル等の資材費を無くし、また、このケーブルの敷設作業も無くすことができる。特に、建造物を増加させる場合であっても、伝送路用ケーブルの敷設作業を無くすことができる。
【００２２】
請求項３に記載した発明によれば、引込盤には、電力量計が設けられているので、監視対象情報が使用電力量のみの場合、測定用ケーブルの引き回し作業を簡素化させることができる。
【発明を実施するための最良の形態】
【００２３】
図１は本発明に係る集中監視システムの第１の実施形態を示すブロック図で、建造物内の各箇所で得られた監視対象情報を、建造物外に位置する電力会社が管轄する上位系監視装置（中央制御装置）で一括または集中して監視できるようにし、また、使用電力量としている。図示するように、集中監視システムは下位系監視装置３と上位系監視装置４とデータ伝送路５とを備え、図４に示す下位系監視装置３００が図１に示す下位系監視装置３では無線ＬＡＮ端末装置３Ａ（以下、無線子局という）及び無線ＬＡＮアクセスポイント３Ｂ（以下、無線親局という）により構成されている。
【００２４】
建造物１が比較的大規模の場合、電気室２が設けられており、電気室２に収容されている受配電変圧器６には、建造物１内に配線された電力線７が接続されている。電力線７は、例えば、３つの配電盤または分電盤８ａ，８ｂ，８ｃにそれぞれ接続されるように分岐され、分岐した分岐線７ａ，７ｂ，７ｃに配電盤または分電盤８ａ，８ｂ，８ｃを介して負荷９ａ，９ｂ，９ｃがそれぞれ接続されている。
【００２５】
配電盤または分電盤８ａ，８ｂ，８ｃには、負荷９ａ，９ｂ，９ｃに対応して電力量計１０ａ，１０ｂ，１０ｃが収容されている。各電力量計１０ａ，１０ｂ，１０ｃには元の監視対象情報として、分岐線７ａ，７ｂ，７ｃの電圧がそれぞれ入力され、また、変流器１１ａ，１１ｂ，１１ｃにより検出される負荷電流がそれぞれ入力されている。
【００２６】
無線子局３Ａは、配電盤または分電盤８ａ，８ｂ，８ｃの数に対応させ、単位無線子局３Ａａ，３Ａｂ，３Ａｃからなり、例えば、配電盤または分電盤８ａ，８ｂ，８ｃ内にそれぞれ設けられている。各単位無線子局３Ａａ，３Ａｂ，３Ａｃは同様に構成されている。
【００２７】
無線親局３Ｂは、建造物１の近傍に位置する柱上変圧器、地上設置型変圧器装置等の配電機器１３内に設けられており、この配電機器１３が設置された個所で電力会社が管轄する上位系監視装置４とデータ伝送路５を介して接続されている。無線親局３Ｂを設置する位置は、無線子局３Ａと無線通信できる範囲内である。
【００２８】
例えば、単位無線子局３Ａａは子局データ収集部３Ａａａと子局データ処理部３Ａａｂと子局通信部３Ａａｃとを備え、上位系監視装置４からの一定周期のポーリング信号を受信すると、子局データ収集部３Ａａａでは各電力量計１０ａにより得られた監視対象情報（使用電力量）を収集し、子局データ処理部３Ａａｂでは収集された監視対象情報（使用電力量）を無線伝送信号に変換し、子局通信部３Ａａｃでは変換された伝送信号を無線親局３Ｂに無線送信する。
【００２９】
無線親局３Ｂは、親局無線通信部３Ｂａと親局データ処理部３Ｂｂと親局有線通信部３Ｂｃとを備え、親局無線通信部３Ｂａでは単位無線子局３Ａａから送信された無線伝送信号を受信し、親局データ処理部３Ｂｂでは受信した伝送信号を有線伝送信号に変換し、親局有線通信部３Ｂｃでは変換された伝送信号をデータ伝送路５に送出する。なお、親局有線通信部３Ｂｃにはデータ伝送路５と接続するための図示しない有線ＬＡＮインターフェースが組み込まれている。
【００３０】
上位系監視装置４は、上位系通信部４ａと上位系データ処理部４ｂと表示部４ｃとを備え、上位系通信部４ａでは無線親局３Ｂから送信された有線伝送信号を受信し、上位系データ処理部４ｂでは受信した伝送信号を監視対象情報に変換し、表示部４ｃでは変換された監視対象情報をモニタ等に表示する。なお、上位系監視装置４は、監視対象情報の解析も行う。
【００３１】
図２は本発明に係る集中監視システムの第２の実施形態を示すブロック図で、複数の建造物毎に建造物全体に対して得られた監視対象情報を、建造物外に位置する電力会社が管轄する上位系監視装置（中央制御装置）で一括または集中して監視できるようにし、また、使用電力量としている。図示するように、集中監視システムは下位系監視装置３と上位系監視装置４とデータ伝送路５とを備え、下位系監視装置３では無線ＬＡＮ端末装置（無線子局）３Ａ及び無線ＬＡＮアクセスポイント（無線親局）３Ｂにより構成されており、
【００３２】
ある地域内に例えば、３つの比較的小規模の各建造物１Ａ，１Ｂ，１Ｃが建てられており、各建造物には、引込盤１５Ａ，１５Ｂ，１５Ｃがそれぞれ設けられており、配電機器１３からの引込線１４が分岐され、分岐された引込線１４ａ，１４ｂ，１４ｃが引込盤１５Ａ，１５Ｂ，１５Ｃを介して各建造物１Ａ，１Ｂ，１Ｃ内にそれぞれ配線された電力線７Ａ，７Ｂ，７Ｃと接続され、その電力線７Ａ，７Ｂ，７Ｃに負荷９Ａ，９Ｂ，９Ｃがそれぞれ接続されている。
【００３３】
引込盤１５Ａ，１５Ｂ，１５Ｃには、電力量計１０Ａ，１０Ｂ，１０Ｃがそれぞれ収容されている。各電力量計１０Ａ，１０Ｂ，１０Ｃには元の監視対象情報として、引込線１４ａ，１４ｂ，１４ｃの電圧がそれぞれ入力され、また、変流器１１Ａ，１１Ｂ，１１Ｃにより検出される負荷電流がそれぞれ入力されている。
【００３４】
無線子局３Ａは、建造物１Ａ，１Ｂ，１Ｃの数に対応させ、単位無線子局３Ａａ，３Ａｂ，３Ａｃからなり、例えば、引込盤１５Ａ，１５Ｂ，１５Ｃ内にそれぞれ設けられている。各単位無線子局は同様に構成されている。
【００３５】
無線親局３Ｂは、建造物１Ａ，１Ｂ，１Ｃの近傍に設置された電力会社が管轄する柱上変圧器、地上設置型変圧器装置等の配電機器１３内、または、その近傍に設けられており、この配電機器１３が設置された個所で電力会社が管轄する上位系監視装置４とデータ伝送路５を介して接続されている。
【００３６】
例えば、単位無線子局３Ａａは子局データ収集部３Ａａａと子局データ処理部３Ａａｂと子局通信部３Ａａｃとを備え、上位系監視装置４からの一定周期のポーリング信号を受信すると、子局データ収集部３Ａａａでは各電力量計１０Ａにより得られた監視対象情報（使用電力量）を収集し、子局データ処理部３Ａａｂでは収集された監視対象情報（使用電力量）を無線伝送信号に変換し、子局通信部３Ａａｃでは変換された伝送信号を無線親局３Ｂに無線送信する。
【００３７】
無線親局３Ｂは、親局無線通信部３Ｂａと親局データ処理部３Ｂｂと親局有線通信部３Ｂｃとを備え、親局無線通信部３Ｂａでは単位無線子局３Ａａから送信された無線伝送信号を受信し、親局データ処理部３Ｂｂでは受信した伝送信号を有線伝送信号に変換し、親局有線通信部３Ｂｃでは変換された伝送信号をデータ伝送路５に送出する。なお、親局有線通信部３Ｂｃにはデータ伝送路５と接続するための図示しない有線ＬＡＮインターフェースが組み込まれている。無線親局３Ｂを設置する位置は、無線子局３Ａと無線通信できる範囲内である。
【００３８】
上位系監視装置４は、上位系通信部４ａと上位系データ処理部４ｂと表示部４ｃとを備え、上位系通信部４ａでは無線親局３Ｂから送信された有線伝送信号を受信し、上位系データ処理部４ｂでは受信した伝送信号を監視対象情報に変換し、表示部４ｃでは変換された監視対象情報をモニタ等に表示する。なお、上位系監視装置４は、監視対象情報の解析も行う。
【００３９】
単位無線子局３Ａａ，３Ａｂ，３Ａｃを、引込盤１５Ａ，１５Ｂ，１５Ｃ内にそれぞれ設けると、引込盤には、電力量計が設けられているので、監視対象情報が使用電力量のみの場合、測定用ケーブルの引き回し作業を簡素化させることができる。
【００４０】
図３は本発明に係る集中監視システムの第３の実施形態を示すブロック図で、建造物内の各箇所で得られた監視対象情報を、この建造物内で一括または集中して監視できるようにし、また、使用電力量としている。図示するように、集中監視システムは下位系監視装置３０のみを備え、下位系監視装置３０は無線ＬＡＮ端末装置（無線子局）３０Ａ及び無線ＬＡＮアクセスポイント（無線親局）３０Ｂにより構成されている。
【００４１】
建造物１が比較的大規模の場合、電気室２が設けられており、電気室２に収容されている受配電変圧器６には、建造物１内に配線された電力線７が接続されている。電力線７は、例えば、３つの配電盤または分電盤８ａ，８ｂ，８ｃにそれぞれ接続されるように分岐され、分岐した分岐線７ａ，７ｂ，７ｃに配電盤または分電盤８ａ，８ｂ，８ｃを介して負荷９ａ，９ｂ，９ｃがそれぞれ接続されている。
【００４２】
配電盤または分電盤８ａ，８ｂ，８ｃには、負荷９ａ，９ｂ，９ｃに対応して電力量計１０ａ，１０ｂ，１０ｃが収容されている。各電力量計１０ａ，１０ｂ，１０ｃには元の監視対象情報として、分岐線７ａ，７ｂ，７ｃの電圧がそれぞれ入力され、また、変流器１１ａ，１１ｂ，１１ｃにより検出される負荷電流がそれぞれ入力されている。
【００４３】
無線子局３０Ａは、配電盤または分電盤８ａ，８ｂ，８ｃの数に対応させ、単位無線子局３０Ａａ，３０Ａｂ，３０Ａｃからなり、例えば、配電盤または分電盤８ａ，８ｂ，８ｃ内にそれぞれ設けられている。各単位無線子局３０Ａａ，３０Ａｂ，３０Ａｃは同様に構成されている。
【００４４】
例えば、単位無線子局３０Ａａは子局データ収集部３０Ａａａと子局データ処理部３０Ａａｂと子局通信部３０Ａａｃとを備え、無線親局３０Ｂからの一定周期のポーリング信号を受信すると、子局データ収集部３０Ａａａでは各電力量計１０ａにより得られた監視対象情報（使用電力量）を収集し、子局データ処理部３０Ａａｂでは収集された監視対象情報（使用電力量）を無線伝送信号に変換し、子局通信部３０Ａａｃでは変換された伝送信号を無線親局３０Ｂに無線送信する。
【００４５】
無線親局３０Ｂは、監視室、例えば建造物１の電気室２内に設けられており、親局無線通信部３０Ｂａと親局データ処理部３０Ｂｂと表示部３０Ｂｃとを備え、親局無線通信部３０Ｂａでは単位無線子局３０Ａａから送信された無線伝送信号を受信し、親局データ処理部３０Ｂｂでは受信した伝送信号を監視対象情報に変換し、表示部３０Ｂｃでは変換された監視対象情報をモニタ等に表示する。無線親局３０Ｂを設置する位置は、無線子局３０Ａと無線通信できる範囲内である。
【００４６】
上記の実施形態２おいては、無線子局３Ａを、引込盤１４Ａ，１４Ｂ，１４Ｃ内に設けるとしたが、その近傍であってもよい。
【００４７】
また、実施形態１，３おいては、無線子局３Ａ及び無線子局３０Ａを、配電盤または分電盤８ａ，８ｂ，８ｃ内に設けるとしたが、その近傍であってもよい。
【００４８】
さらに、実施形態１，２では、無線親局３Ｂを、配電機器１３内に設けるとしたが、その近傍であってもよい。
【００４９】
また、実施形態１ないし３では、監視対象情報（使用電力量）の収集を、上位系監視装置４または無線親局３０Ｂからの一定周期のポーリング信号を受信することにより行なうとしたが、無線子局３Ａまたは無線子局３０Ａ内で制御して行うようにしてもよい。
【００５０】
さらに、実施形態１ないし３では、監視対象情報を使用電力量としたが、地絡、漏洩電流等であってもよい。
【図面の簡単な説明】
【００５１】
【図１】本発明に係る集中監視システムの第１の実施形態を示すブロック図である。
【図２】本発明に係る集中監視示システムの第２の実施形態を示すブロック図である。
【図３】本発明に係る集中監視示システムの第３の実施形態を示すブロック図である。
【図４】従来の集中監視システムのブロック図である。
【符号の説明】
【００５２】
１，１Ａ，１Ｂ，１Ｃ  建造物
３，３０  下位系監視装置
３Ａ，３０Ａ  無線ＬＡＮ端末装置
３Ｂ，３０Ｂ  無線ＬＡＮアクセスポイント
４  上位系監視装置
１３  配電機器
５  伝送路
１５Ａ，１５Ｂ，１５Ｃ  引込盤
【図１】
2007011675.tif 000003
【図２】
2007011675.tif 000004
【図３】
2007011675.tif 000005
【図４】
2007011675.tif 000006